(57)【要約】【課題】無線通信システムのＵＥ（ユーザー端末）においてＭＩＭＯ（多重入出力）を改善する方法及び装置を提供する。【解決手段】方法は、ＵＥのＨＡＲＱ（ハイブリッド自動リピート要求）プロシージャに含まれるＨＡＲＱプロセスの数量に基づいて第一数量値を取得する段階と、一次トランスポートブロックに対応する第一ＨＡＲＱプロセスＩＤを取得する段階と、二次トランスポートブロックに対応する第二ＨＡＲＱプロセスＩＤを（Ｈ＋（Ｎ／２））ｍｏｄ（Ｎ）と指定する段階とを含む。前記Ｈは第一ＨＡＲＱプロセスＩＤであり、ｍｏｄはモジュラ演算子であり、Ｎは第一数量値である。【選択図】図３
2008228310.tif 000002
【特許請求の範囲】
【請求項１】
無線通信システムのＵＥ（ユーザー端末）においてＭＩＭＯ（多重入出力）の改善方法であって、
ＵＥのＨＡＲＱ（ハイブリッド自動リピート要求）プロシージャに含まれるＨＡＲＱプロセスの数量に基づいて第一数量値を取得する段階と、
一次トランスポートブロックに対応する第一ＨＡＲＱプロセスＩＤを取得する段階と、
二次トランスポートブロックに対応する第二ＨＡＲＱプロセスＩＤを（Ｈ＋（Ｎ／２））ｍｏｄ（Ｎ）と指定する段階とを含み、前記Ｈは第一ＨＡＲＱプロセスＩＤであり、ｍｏｄはモジュラ演算子であり、Ｎは第一数量値であることを特徴とするＭＩＭＯの改善方法。
【請求項２】
前記ＵＥのＨＡＲＱプロシージャに含まれるＨＡＲＱプロセスの数量に基づいて第一数量値を取得する段階は、ＵＥのＨＡＲＱプロシージャに含まれるＨＡＲＱプロセスの数量が２〜１６のうちの偶数であった場合に、第一数量値をＵＥのＨＡＲＱプロシージャに含まれるＨＡＲＱプロセスの数量に設定することを内容とすることを特徴とする請求項１に記載のＭＩＭＯの改善方法。
【請求項３】
前記ＵＥのＨＡＲＱプロシージャに含まれるＨＡＲＱプロセスの数量に基づいて第一数量値を取得する段階は、ＵＥのＨＡＲＱプロシージャに含まれるＨＡＲＱプロセスの数量が３〜１５のうちの奇数であった場合に、第一数量値をＵＥのＨＡＲＱプロシージャに含まれるＨＡＲＱプロセスの数量から１を引いた値に設定することを内容とすることを特徴とする請求項１に記載のＭＩＭＯの改善方法。
【請求項４】
前記方法は更に、第一ＨＡＲＱプロセスＩＤが第一数量値に等しい場合に、第二ＨＡＲＱプロセスＩＤを第一ＨＡＲＱプロセスＩＤに等しい値に指定する段階を含むことを特徴とする請求項３に記載のＭＩＭＯの改善方法。
【請求項５】
前記第一ＨＡＲＱプロセスＩＤは０〜１５の整数であることを特徴とする請求項１に記載のＭＩＭＯの改善方法。
【請求項６】
無線通信システムにおいてＭＩＭＯを改善する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、
該プログラムコードは、
通信装置のＨＡＲＱプロシージャに含まれるＨＡＲＱプロセスの数量に基づいて第一数量値を取得するコードと、
一次トランスポートブロックに対応する第一ＨＡＲＱプロセスＩＤを取得するコードと、
二次トランスポートブロックに対応する第二ＨＡＲＱプロセスＩＤを（Ｈ＋（Ｎ／２））ｍｏｄ（Ｎ）と指定するコードとを含み、前記Ｈは第一ＨＡＲＱプロセスＩＤであり、ｍｏｄはモジュラ演算子であり、Ｎは第一数量値であることを特徴とする通信装置。
【請求項７】
前記通信装置のＨＡＲＱプロシージャに含まれるＨＡＲＱプロセスの数量が２〜１６のうちの偶数であれば、第一数量値は通信装置のＨＡＲＱプロシージャに含まれるＨＡＲＱプロセスの数量であることを特徴とする請求項６に記載の通信装置。
【請求項８】
前記通信装置のＨＡＲＱプロシージャに含まれるＨＡＲＱプロセスの数量が３〜１５のうちの奇数であれば、第一数量値は通信装置のＨＡＲＱプロシージャに含まれるＨＡＲＱプロセスの数量から１を引いた値であることを特徴とする請求項６に記載の通信装置。
【請求項９】
前記プログラムコードは更に、第一ＨＡＲＱプロセスＩＤが第一数量値に等しい場合に、第二ＨＡＲＱプロセスＩＤを第一ＨＡＲＱプロセスＩＤに等しい値に指定するコードを含むことを特徴とする請求項８に記載の通信装置。
【請求項１０】
前記第一ＨＡＲＱプロセスＩＤは０〜１５の整数であることを特徴とする請求項６に記載の通信装置。
【請求項１１】
無線通信システムのＵＥにおいてＭＩＭＯの改善方法であって、
一次トランスポートブロックに対応する第一ＨＡＲＱプロセスＩＤを取得する段階と、
二次トランスポートブロックに対応する第二ＨＡＲＱプロセスＩＤを（Ｈ＋Ｍ）と指定する段階とを含み、前記Ｈは第一ＨＡＲＱプロセスＩＤであり、Ｍは数値であることを特徴とするＭＩＭＯの改善方法。
【請求項１２】
前記二次トランスポートブロックに対応する第二ＨＡＲＱプロセスＩＤを（Ｈ＋Ｍ）と指定する段階は、第一ＨＡＲＱプロセスＩＤが０〜１５のうちの偶数であった場合に、Ｍを１に設定することを内容とすることを特徴とする請求項１１に記載のＭＩＭＯの改善方法。
【請求項１３】
前記二次トランスポートブロックに対応する第二ＨＡＲＱプロセスＩＤを（Ｈ＋Ｍ）と指定する段階は、第一ＨＡＲＱプロセスＩＤが０〜１５のうちの奇数であった場合に、Ｍを−１に設定することを内容とすることを特徴とする請求項１１に記載のＭＩＭＯの改善方法。
【請求項１４】
無線通信システムにおいてＭＩＭＯを改善する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、該プログラムコードは、
一次トランスポートブロックに対応する第一ＨＡＲＱプロセスＩＤを取得するコードと、
二次トランスポートブロックに対応する第二ＨＡＲＱプロセスＩＤを（Ｈ＋Ｍ）と指定するコードとを含み、前記Ｈは第一ＨＡＲＱプロセスＩＤであり、Ｍは数値であることを特徴とする通信装置。
【請求項１５】
前記第一ＨＡＲＱプロセスＩＤが０〜１５のうちの偶数であれば、Ｍは１となることを特徴とする請求項１４に記載の通信装置。
【請求項１６】
前記第一ＨＡＲＱプロセスＩＤが０〜１５のうちの奇数であれば、Ｍは−１となることを特徴とする請求項１４に記載の通信装置。
【請求項１７】
無線通信システムのＵＥにおいてＭＩＭＯの改善方法であって、
一次トランスポートブロックに対応する第一ＨＡＲＱプロセスＩＤを取得する段階と、
二次トランスポートブロックに対応する第二ＨＡＲＱプロセスＩＤを（Ｎｐｒｏｃ−Ｈ−１）と指定する段階とを含み、前記ＮｐｒｏｃはＵＥのＨＡＲＱプロシージャに含まれるＨＡＲＱプロセスの数量であり、Ｈは第一ＨＡＲＱプロセスＩＤであることを特徴とするＭＩＭＯの改善方法。
【請求項１８】
前記第一ＨＡＲＱプロセスＩＤは０〜１５の整数であることを特徴とする請求項１７に記載のＭＩＭＯの改善方法。
【請求項１９】
無線通信システムにおいてＭＩＭＯを改善する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、該プログラムコードは、
一次トランスポートブロックに対応する第一ＨＡＲＱプロセスＩＤを取得するコードと、
二次トランスポートブロックに対応する第二ＨＡＲＱプロセスＩＤを（Ｎｐｒｏｃ−Ｈ−１）と指定するコードとを含み、前記ＮｐｒｏｃはＵＥのＨＡＲＱプロシージャに含まれるＨＡＲＱプロセスの数量であり、Ｈは第一ＨＡＲＱプロセスＩＤであることを特徴とする通信装置。
【請求項２０】
前記第一ＨＡＲＱプロセスＩＤは０〜１５の整数であることを特徴とする請求項１９に記載の通信装置。
【請求項２１】
無線通信システムのＵＥにおいてＭＩＭＯの改善方法であって、
ＵＥのＨＡＲＱプロシージャに含まれるＨＡＲＱプロセスの数量に基づいて、ＨＡＲＱプロセスＩＤを０〜（（Ｎｐｒｏｃ／２）−１）及び８〜（（Ｎｐｒｏｃ／２）＋７）と指定する段階を含み、前記ＮｐｒｏｃはＵＥのＨＡＲＱプロシージャに含まれるＨＡＲＱプロセスの数量で偶数であることを特徴とするＭＩＭＯの改善方法。
【請求項２２】
無線通信システムにおいてＭＩＭＯを改善する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、該プログラムコードは、
通信装置のＨＡＲＱプロシージャに含まれるＨＡＲＱプロセスの数量に基づいて、ＨＡＲＱプロセスＩＤを０〜（（Ｎｐｒｏｃ／２）−１）及び８〜（（Ｎｐｒｏｃ／２）＋７）と指定するコードを含み、前記ＮｐｒｏｃはＵＥのＨＡＲＱプロシージャに含まれるＨＡＲＱプロセスの数量で偶数であることを特徴とする通信装置。
【発明の詳細な説明】
【技術分野】
【０００１】
本発明は無線通信システムにおいてＭＩＭＯ（多重入出力）を改善する方法及び装置に関し、特に二次トランスポートブロックのＨＡＲＱ（ハイブリッド自動リピート要求）プロセスＩＤに対応する配置に基づいてＭＩＭＯを改善する方法及び装置に関する。
【背景技術】
【０００２】
第三世代移動通信システム（ＵＭＴＳ）はＷＣＤＭＡ（広帯域多元分割接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。第三世代移動通信システムでは動画鑑賞、電話会議、オンラインゲーム、オンラインミュージック再生、電子メールを楽しむことができる。もっとも、これらの機能は迅速かつ実時間のデータ送信機能に頼る。帯域幅の利用効率とパケットデータの処理効率を向上させ、上り・下りの送信速度を改善するために、従来の第三世代移動通信技術にはＨＳＤＰＡ（高速ダウンリンクパケットアクセス）とＨＳＵＰＡ（高速アップリンクパケットアクセス）が導入された。
【０００３】
ＨＳＤＰＡとＨＳＵＰＡはＨＡＲＱ方式で再送の速度を向上させる。ＨＡＲＱとは、ＦＥＣ（フィードフォワード誤り訂正）とＡＲＱ（自動リピート要求）を結合した技術である。同技術によれば、ＵＴＲＡＮ（汎用地上無線アクセスネットワーク。以下にネットワークと略称する）はＵＥ（ユーザー端末）返送される応答信号（ＡＣＫ／ＮＡＣＫ）に基づいて再送の要否を決め、ＵＥは失敗した送信から復号化に資する情報を取り出して保存することができる。
【０００４】
ダウンリンクのデータ送信速度を改善するために、３ＧＰＰはＭＩＭＯを導入した。ＭＩＭＯでは、ＵＥと基地局が多重アンテナを通して無線信号を受発信することが許容され、同時に空間多重化、ビーム形成、空間ダイバシティーなどの技術を用いることで信号干渉を減少し、チャネル容量を増加する。ＵＥのＭＩＭＯ動作を制御するために、ネットワークはＲＲＣ（無線資源制御）層で関連のＲＲＣメッセージと情報要素（ＩＥ）を生成し、ＲＲＣプロシージャでＭＩＭＯ構成をＵＥに送信する。それに対して、ＵＥには受信したパラメータ値を保存するＭＩＭＯ＿ＳＴＡＴＵＳ変数が含まれる。ＭＩＭＯ動作はＭＩＭＯ＿ＳＴＡＴＵＳ変数を真（ＴＲＵＥ）にした場合にのみ起動される。
【０００５】
ＭＩＭＯが起動されていない場合、ＵＥは同じＴＴＩ（送信時間間隔）においてＨＳ−ＰＤＳＣＨ（高速物理ダウンリンク共用チャネル）から１つのトランスポートブロックしか受信できない。ＵＥのＨＡＲＱプロシージャは最大８つのＨＡＲＱプロセスを含み、ＨＡＲＱプロセスごとに０〜７で示すＨＡＲＱプロセスＩＤが割り当てられている。ＵＥはこのＨＡＲＱプロセスＩＤに基づいてソフトバッファのメモリを割り当てる。一方、ＭＩＭＯが起動された場合、ＵＥは同じＴＴＩにおいて２つのトランスポートブロックを受信でき、利用可能なＨＡＲＱプロセスは１６個となる。ＨＡＲＱプロセスの数量Ｎｐｒｏｃは「Ｎｕｍｂｅｒ  ｏｆ  Ｐｒｏｃｅｓｓｅｓ」というＩＥに設定され、このＩＥを受信したＵＥは、Ｎｐｒｏｃ個のＨＡＲＱプロセスＩＤを０から（Ｎｐｒｏｃ−１）にする。例えば、Ｎｐｒｏｃ＝６の場合、６つのＨＡＲＱプロセスＩＤは０〜５となり、Ｎｐｒｏｃ＝１２の場合、１２個のＨＡＲＱプロセスＩＤは０〜１１となる。
【０００６】
そのほか、ＭＩＭＯの起動時に、一次トランスポートブロックに対応するＨＡＲＱプロセスＩＤをＨとすれば、二次トランスポートブロックに対応するＨＡＲＱプロセスＩＤは（Ｈ＋８）ｍｏｄ（１６）となる（ｍｏｄはモジュラ演算子）。例えば、一次トランスポートブロックに対応するＨＡＲＱプロセスＩＤを０とすれば、二次トランスポートブロックに対応するＨＡＲＱプロセスＩＤは８となる。
【０００７】
注意すべきは、ＭＩＭＯが起動されても、ＨＡＲＱプロセスの数量が８を超えない限り、二次トランスポートブロックの受信に用いられるＨＡＲＱプロセスの数量は０にとどまる。Ｎｐｒｏｃ＝６を例にすれば、上掲式からでは、二次トランスポートブロックに対応するＨＡＲＱプロセスＩＤは８〜１３となる。しかし、これらのＨＡＲＱプロセスＩＤは既に０〜５に指定されているので、ＵＥはＩＤ＝８〜１３のＨＡＲＱプロセスを利用することができない。言い換えれば、ＭＩＭＯが起動されても、ＨＡＲＱプロセスの数量が８を超えない限りでは、ＵＥは同じＴＴＩに２個のトランスポートブロックを受信することができない。
【発明の開示】
【発明が解決しようとする課題】
【０００８】
本発明は無線通信システムのＵＥにおいてＭＩＭＯを改善する方法及び装置を提供することを課題とする。
【課題を解決するための手段】
【０００９】
本発明は、無線通信システムのＵＥ（ユーザー端末）においてＭＩＭＯ（多重入出力）を改善する方法を提供する。該方法は、ＵＥのＨＡＲＱ（ハイブリッド自動リピート要求）プロシージャに含まれるＨＡＲＱプロセスの数量に基づいて第一数量値を取得する段階と、一次トランスポートブロックに対応する第一ＨＡＲＱプロセスＩＤを取得する段階と、二次トランスポートブロックに対応する第二ＨＡＲＱプロセスＩＤを（Ｈ＋（Ｎ／２））ｍｏｄ（Ｎ）と指定する段階とを含む。前記Ｈは第一ＨＡＲＱプロセスＩＤであり、ｍｏｄはモジュラ演算子であり、Ｎは第一数量値である。
【００１０】
本発明は更に、無線通信システムにおいてＭＩＭＯを改善する通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。該プログラムコードは、通信装置のＨＡＲＱプロシージャに含まれるＨＡＲＱプロセスの数量に基づいて第一数量値を取得するコードと、一次トランスポートブロックに対応する第一ＨＡＲＱプロセスＩＤを取得するコードと、二次トランスポートブロックに対応する第二ＨＡＲＱプロセスＩＤを（Ｈ＋（Ｎ／２））ｍｏｄ（Ｎ）と指定するコードとを含む。前記Ｈは第一ＨＡＲＱプロセスＩＤであり、ｍｏｄはモジュラ演算子であり、Ｎは第一数量値である。
【００１１】
本発明は更に、以下のような無線通信システムのＵＥにおいてＭＩＭＯを改善する方法を提供する。該方法は、一次トランスポートブロックに対応する第一ＨＡＲＱプロセスＩＤを取得する段階と、二次トランスポートブロックに対応する第二ＨＡＲＱプロセスＩＤを（Ｈ＋Ｍ）と指定する段階とを含む。前記Ｈは第一ＨＡＲＱプロセスＩＤであり、Ｍは数値である。
【００１２】
本発明は更に、以下のような無線通信システムにおいてＭＩＭＯを改善する通信装置を提供する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。該プログラムコードは、一次トランスポートブロックに対応する第一ＨＡＲＱプロセスＩＤを取得するコードと、二次トランスポートブロックに対応する第二ＨＡＲＱプロセスＩＤを（Ｈ＋Ｍ）と指定するコードとを含む。前記Ｈは第一ＨＡＲＱプロセスＩＤであり、Ｍは数値である。
【００１３】
本発明は更に、以下のような無線通信システムのＵＥにおいてＭＩＭＯを改善する方法を提供する。該方法は、一次トランスポートブロックに対応する第一ＨＡＲＱプロセスＩＤを取得する段階と、二次トランスポートブロックに対応する第二ＨＡＲＱプロセスＩＤを（Ｎｐｒｏｃ−Ｈ−１）と指定する段階とを含む。前記ＮｐｒｏｃはＵＥのＨＡＲＱプロシージャに含まれるＨＡＲＱプロセスの数量であり、Ｈは第一ＨＡＲＱプロセスＩＤである。
【００１４】
本発明は更に、以下のような無線通信システムにおいてＭＩＭＯを改善する通信装置を提供する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。該プログラムコードは、一次トランスポートブロックに対応する第一ＨＡＲＱプロセスＩＤを取得するコードと、二次トランスポートブロックに対応する第二ＨＡＲＱプロセスＩＤを（Ｎｐｒｏｃ−Ｈ−１）と指定するコードとを含む。前記ＮｐｒｏｃはＵＥのＨＡＲＱプロシージャに含まれるＨＡＲＱプロセスの数量であり、Ｈは第一ＨＡＲＱプロセスＩＤである。
【００１５】
本発明は更に、以下のような無線通信システムのＵＥにおいてＭＩＭＯを改善する方法を提供する。該方法は、ＵＥのＨＡＲＱプロシージャに含まれるＨＡＲＱプロセスの数量に基づいて、ＨＡＲＱプロセスＩＤを０〜（（Ｎｐｒｏｃ／２）−１）及び８〜（（Ｎｐｒｏｃ／２）＋７）と指定する段階を含む。前記ＮｐｒｏｃはＵＥのＨＡＲＱプロシージャに含まれるＨＡＲＱプロセスの数量で偶数である。
【００１６】
本発明は更に、以下のような無線通信システムにおいてＭＩＭＯを改善する通信装置を提供する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。該プログラムコードは、通信装置のＨＡＲＱプロシージャに含まれるＨＡＲＱプロセスの数量に基づいて、ＨＡＲＱプロセスＩＤを０〜（（Ｎｐｒｏｃ／２）−１）及び８〜（（Ｎｐｒｏｃ／２）＋７）と指定するコードを含む。前記ＮｐｒｏｃはＵＥのＨＡＲＱプロシージャに含まれるＨＡＲＱプロセスの数量で偶数である。
【発明を実施するための最良の形態】
【００１７】
かかる方法及び装置の特徴を詳述するために、具体的な実施例を挙げ、図を参照にして以下に説明する。
【００１８】
図１を参照する。図１は無線通信装置１００のブロック図である。説明を簡素化するために、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示されている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。望ましくは、無線通信装置１００は第三世代移動通信システムの高速パケットアクセスシステムに用いられ、ＭＩＭＯをサポートする。
【００１９】
図２を参照する。図２は図１に示すプログラムコード１１２を表す説明図である。プログラムコード１１２はアプリケーション層２００と、第三層インターフェイス２０２と、第二層インターフェイス２０６を備え、第一層インターフェイス２０８と接続されている。第三層インターフェイス２０２はＲＲＣを担当し、ネットワークシステムの要求または通信環境の変化に応じて無線通信装置１００のＲＲＣ状態を変更できる。第二層インターフェイスはＲＬＣ（無線リンク制御）を担当し、第一層インターフェイス２０８は物理接続に用いられる。
【００２０】
前記のように、ＭＩＭＩが起動された場合では、ＵＥは同じＴＴＩにおいて２つのトランスポートブロックを受信でき、使用可能なＨＡＲＱプロセスの数量は最大１６個にすることができる。なお、ＵＥのＨＡＲＱプロシージャに含まれるＨＡＲＱプロセスの数量をＮｐｒｏｃとすれば、ＨＡＲＱプロセスＩＤは０〜（Ｎｐｒｏｃ−１）とされる。それに鑑みて、本発明の実施例では第一層インターフェイス２０８にＩＤ指定プロセス２２０を設け、二次トランスポートブロックのＨＡＲＱプロセスＩＤに対応する最適配置に基づいてＭＩＭＯを改善する。
【００２１】
図３を参照する。図３は本発明の実施例による方法３０のフローチャートである。下記方法３０は無線通信システムのＵＥにおいてＭＩＭＯの改善に用いられ、ＩＤ指定プログラムコード２２０としてコンパイルすることができる。
【００２２】
ステップ３００：開始。
ステップ３０２：ＵＥのＨＡＲＱプロシージャに含まれるＨＡＲＱプロセスの数量に基づいて第一数量値を取得する。
ステップ３０４：一次トランスポートブロックに対応する第一ＨＡＲＱプロセスＩＤを取得する。
ステップ３０６：二次トランスポートブロックに対応する第二ＨＡＲＱプロセスＩＤを（Ｈ＋（Ｎ／２））ｍｏｄ（Ｎ）と指定する。Ｈは第一ＨＡＲＱプロセスＩＤであり、ｍｏｄはモジュラ演算子であり、Ｎは第一数量値である。
ステップ３０８：終了。
【００２３】
以上のように、本発明の実施例では二次トランスポートブロックに対応する第二ＨＡＲＱプロセスＩＤを（Ｈ＋（Ｎ／２））ｍｏｄ（Ｎ）と指定する。Ｈは第一ＨＡＲＱプロセスＩＤであり、ｍｏｄはモジュラ演算子であり、ＮはＵＥのＨＡＲＱプロシージャに含まれるＨＡＲＱプロセスの数量Ｎｐｒｏｃである。望ましくは、第一ＨＡＲＱプロセスＩＤは０〜１５の整数である。この場合、ＨＡＲＱプロセスの数量が２〜１６のうちの偶数であれば、本発明の実施例では第一数量値をＨＡＲＱプロセスの数量に設定する。一方、ＨＡＲＱプロセスの数量が３〜１５のうちの奇数であれば、本発明の実施例では第一数量値をＨＡＲＱプロセスの数量から１を引いた値に設定し、第一ＨＡＲＱプロセスＩＤが第一値になった場合に第二ＨＡＲＱプロセスＩＤを第一プロセスＩＤに等しい値に指定する。
【００２４】
例えば、Ｎｐｒｏｃを１０とすれば、第一ＨＡＲＱプロセスＩＤ＝０、１、２、３、４に対応する第二ＨＡＲＱプロセスＩＤは５、６、７、８、９となる。Ｎｐｒｏｃを１１とすれば、第一ＨＡＲＱプロセスＩＤ＝１０に対応する第二ＨＡＲＱプロセスＩＤは１０となり、すなわち第一ＨＡＲＱプロセスＩＤ＝１０のＨＡＲＱプロセスで一次トランスポートブロックを送信する。
【００２５】
従来の技術では、ＭＩＭＯが起動されても、ＵＥが同じＴＴＩに受信した一次トランスポートブロックに対応するＨＡＲＱプロセスＩＤをＨとすれば、二次トランスポートブロックに対応するＨＡＲＱプロセスＩＤは必ず（Ｈ＋８）ｍｏｄ（１６）となる。言い換えれば、ＵＥのＨＡＲＱプロシージャに含まれるＨＡＲＱプロセスの数量が８を超えなければ、従来の技術では二次トランスポートブロックを受信できるＨＡＲＱプロセスの数量が０となり、ＭＩＭＯの機能はうまく発揮できない。それと比べて、上記方法３０によれば、ＭＩＭＯの起動後、ＵＥは第一数量値と第一ＨＡＲＱプロセスＩＤに基づいて第二ＨＡＲＱプロセスＩＤを指定するので、二次トランスポートブロックの送信はＨＡＲＱプロセスの数量により制限されない。ＨＡＲＱプロセスの数量が８を超えなくても、ＵＥは上記方法３０で二次トランスポートブロックに対応する第二ＨＡＲＱプロセスＩＤを指定し、同じＴＴＩにおいて２個のトランスポートブロックを受信することができる。
【００２６】
そのほか、本発明では更に、二次トランスポートブロックに対応する第二ＨＡＲＱプロセスＩＤを指定する方法４０と方法５０を提供し、ＭＩＭＯを改善する。方法４０と方法５０はＩＤ指定プログラムコード２２０としてコンパイルすることができる。図４を参照する。図４は本発明の実施例による方法４０のフローチャートであって、以下の段階を含む。
【００２７】
ステップ４００：開始。
ステップ４０２：一次トランスポートブロックに対応する第一ＨＡＲＱプロセスＩＤを取得する。
ステップ４０４：二次トランスポートブロックに対応する第二ＨＡＲＱプロセスＩＤを（Ｈ＋Ｍ）と指定する。Ｈは第一ＨＡＲＱプロセスＩＤであり、Ｍは数値である。
ステップ４０６：終了。
【００２８】
以上のように、本発明の実施例では二次トランスポートブロックに対応する第二ＨＡＲＱプロセスＩＤを（Ｈ＋Ｍ）と指定し、ＭはＨの奇偶によって決められる。第一ＨＡＲＱプロセスＩＤが０〜１５のうちの偶数であれば、Ｍは１となり、第二ＨＡＲＱプロセスＩＤは（Ｈ＋１）となる。第一ＨＡＲＱプロセスＩＤが０〜１５のうちの奇数であれば、Ｍは−１となり、第二ＨＡＲＱプロセスＩＤは（Ｈ−１）となる。例えば、Ｎｐｒｏｃを１０とすれば、第一ＨＡＲＱプロセスＩＤ＝０、２、４、６、８に対応する第二ＨＡＲＱプロセスＩＤは１、３、５、７、９となり、Ｎｐｒｏｃを１１とすれば、ＨＡＲＱプロセスＩＤ＝１０のＨＡＲＱプロセスのみで一次トランスポートブロックを送信する。
【００２９】
図５を参照する。図５は本発明の実施例による方法５０のフローチャートであって、以下の段階を含む。
【００３０】
ステップ５００：開始。
ステップ５０２：一次トランスポートブロックに対応する第一ＨＡＲＱプロセスＩＤを取得する。
ステップ５０４：二次トランスポートブロックに対応する第二ＨＡＲＱプロセスＩＤを（Ｎｐｒｏｃ−Ｈ−１）と指定する。ＮｐｒｏｃはＵＥのＨＡＲＱプロシージャに含まれるＨＡＲＱプロセスの数量であり、Ｈは第一ＨＡＲＱプロセスＩＤである。
ステップ５０６：終了。
【００３１】
以上のように、本発明の実施例では二次トランスポートブロックに対応する第二ＨＡＲＱプロセスＩＤを（Ｎｐｒｏｃ−Ｈ−１）と指定し、Ｎｐｒｏｃは０〜１５の整数である。例えば、Ｎｐｒｏｃを１０とすれば、第一ＨＡＲＱプロセスＩＤ＝０、１、２、３、４に対応する第二ＨＡＲＱプロセスＩＤは９、８、７、６、５となり、Ｎｐｒｏｃを１１とすれば、ＨＡＲＱプロセスＩＤ＝５のＨＡＲＱプロセスのみで一次トランスポートブロックを送信する。
【００３２】
そうすると、ＨＡＲＱプロセスの数量が８を超えなくても、ＵＥは上記方法３０、４０、５０で二次トランスポートブロックに対応する第二ＨＡＲＱプロセスＩＤを指定し、同じＴＴＩにおいて２個のトランスポートブロックを受信することができる。
【００３３】
図６を参照する。図６は本発明の実施例による方法６０のフローチャートであって、以下の段階を含む。
【００３４】
ステップ６００：開始。
ステップ６０２：ＵＥのＨＡＲＱプロシージャに含まれるＨＡＲＱプロセスの数量に基づいて、ＨＡＲＱプロセスＩＤを０〜（（Ｎｐｒｏｃ／２）−１）及び８〜（（Ｎｐｒｏｃ／２）＋７）と指定する。ＮｐｒｏｃはＵＥのＨＡＲＱプロシージャに含まれるＨＡＲＱプロセスの数量で偶数である。
ステップ６０４：終了。
【００３５】
以上のように、ＵＥでＭＩＭＯの起動後、本発明の実施例ではＵＥのＨＡＲＱプロシージャに含まれるＨＡＲＱプロセスの数量Ｎｐｒｏｃに基づいて、ＨＡＲＱプロセスＩＤを０〜（（Ｎｐｒｏｃ／２）−１）及び８〜（（Ｎｐｒｏｃ／２）＋７）と指定する。望ましくは、Ｎｐｒｏｃは偶数である。例えば、Ｎｐｒｏｃを１０とすれば、ＨＡＲＱプロセスＩＤは０〜４及び８〜１２に指定される。
【００３６】
従来の技術では、一次トランスポートブロックに対応するＨＡＲＱプロセスＩＤをＨとすれば、二次トランスポートブロックに対応するＨＡＲＱプロセスＩＤは必ず（Ｈ＋８）ｍｏｄ（１６）となる。また、ＨＡＲＱプロセスＩＤの指定範囲は０〜（Ｎｐｒｏｃ−１）に限られる。したがって、ＨＡＲＱプロセスの数量が８を超えなければ、二次トランスポートブロックを受信できるＨＡＲＱプロセスの数量は０となる。ＨＡＲＱプロセスの数量が８を超えても、二次トランスポートブロックを受信できるＨＡＲＱプロセスの数量は均等に割り当てることができない。
【００３７】
それと比べて、本発明の実施例ではＨＡＲＱプロセスＩＤを０〜（（Ｎｐｒｏｃ／２）−１）及び８〜（（Ｎｐｒｏｃ／２）＋７）と指定し、一次トランスポートブロックを受信するＨＡＲＱプロセスごとに対応した二次トランスポートブロックのＨＡＲＱプロセスを与える。したがって、本発明の実施例はデータ送信速度を向上させ、ＭＩＭＯを改善することができる。
【００３８】
まとめていえば、本発明の実施例ではＵＥのＨＡＲＱプロシージャに含まれるＨＡＲＱプロセスの数量と、一次トランスポートブロックの第一ＨＡＲＱプロセスＩＤに基づいて、二次トランスポートブロックの第二ＨＡＲＱプロセスＩＤを指定する。一方、本発明の実施例でもすべてのＨＡＲＱプロセスＩＤの範囲を指定することで、二次トランスポートブロックを受信できるＨＡＲＱプロセスの数量を増加する。従来の技術と比べて、本発明の実施例はデータの送信速度を向上させ、ＭＩＭＯを改善することができる。
【００３９】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００４０】
【図１】本発明の実施例による無線通信装置のブロック図である。
【図２】図１に示すプログラムコードを表す説明図である。
【図３】本発明の実施例による第一の方法のフローチャートである。
【図４】本発明の実施例による第二の方法のフローチャートである。
【図５】本発明の実施例による第三の方法のフローチャートである。
【図６】本発明の実施例による第四の方法のフローチャートである。
【符号の説明】
【００４１】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層インターフェイス
２０６  第二層インターフェイス
２０８  第一層インターフェイス
２２０  ＩＤ指定プログラムコード
【図１】
2008228310.tif 000003
【図２】
2008228310.tif 000004
【図３】
2008228310.tif 000005
【図４】
2008228310.tif 000006
【図５】
2008228310.tif 000007
【図６】
2008228310.tif 000008